(57)【要約】【課題】  本発明によれば、各トナーの混色を防止しすることができ、特に色の明度の低下を抑制できる画像形成装置を提供する。【解決手段】  複数の現像装置毎に設けられ現像装置内の圧力を抜くための通気路２０Ｙ、２０Ｍ、２０Ｃ、２０Ｋと、通気路が合流して通気路から排気される空気中のトナーを捕集するトナーフィルタ４３とを備えた画像形成装置において、所定の通気路を遮断することにより、他の通気路から所定の通気路への空気の流入を防止する通気路遮断部６０を備える。【選択図】          図４
2007121472.tif 000002
【特許請求の範囲】
【請求項１】
複数の現像装置毎に設けられ前記現像装置内の圧力を抜くための通気路を備えた画像形成装置において、
所定の通気路を遮断することにより、他の通気路から前記所定の通気路への空気の流入を防止する通気路遮断手段を備えたことを特徴とする画像形成装置。
【請求項２】
前記通気路遮断手段は、画像形成に使用されていない現像装置内の圧力を抜くための通気路を遮断することを特徴とする請求項１に記載の画像形成装置。
【請求項３】
前記通気路遮断手段は、画像形成装置本体の作像動作に連動して、前記所定の通気路を開閉することを特徴とする請求項１又は２に記載の画像形成装置。
【請求項４】
前記各通気路と連結され使用済み現像剤を蓄える廃棄現像剤容器
を備え、
前記廃棄現像剤容器には、空気中のトナーを捕集するトナーフィルタが設けられていることを特徴とする請求項１乃至３の何れかに記載の画像形成装置。
【請求項５】
空気中のトナーを捕集するトナーフィルタを備え、
前記トナーフィルタは、交換可能に形成されている部材に設けられていることを特徴とする請求項１乃至３の何れかに記載の画像形成装置。
【発明の詳細な説明】
【技術分野】
【０００１】
本発明は、画像形成装置に関する。
【背景技術】
【０００２】
従来から、現像器からのトナークラウドを低減するための技術として、現像器に圧抜き穴を設けて現像器内の空気を逃がす画像形成装置が知られている。圧抜き穴から逃がした空気にはトナーが含まれているため、布・紙・不織布などのフィルターにより、空気中のトナーを捕集する必要がある。しかし、このようにフィルターにより空気中のトナーを捕集する場合には、長期の使用によりトナーによりフィルターが目詰まりを起こして、空気が逃げにくくなり場合がある。空気が逃げにくくなると、現像器内の圧力が上昇してトナークラウドの流出を抑制できないという問題がある。
【０００３】
このような問題を解決する技術として、現像器内の内圧をぬくための開口部を備えた現像装置と、現像装置内の空気を画像形成装置外に排気するための排気ダクトとを備え、更にこの排気ダクトは２成分現像剤交換手段における使用ずみ現像剤を廃棄する廃棄現像剤容器を通過し、廃棄現像剤容器にトナーフィルタを有することを特徴とする画像形成装置がある（特許文献１参照）。このような画像形成装置により、廃棄現像剤容器を交換又は回収する際にフィルターも一括交換することができるので、トナークラウドの発生を抑制できる。
【０００４】
【特許文献１】特開２００３−１５４２０号公報
【発明の開示】
【発明が解決しようとする課題】
【０００５】
しかし、上述した画像形成装置においては、単色モードで画像形成が行われた場合、例えば白黒モードで画像形成をした場合には、黒の画像を形成する現像器からの空気が、廃棄用現像剤容器を介してイエロー、マゼンタ、シアンの画像を形成する各現像器に流れ込む場合がある。このような場合には、他の現像器へブラックトナーが混入して、他のトナーが混色し、カラーモード時には色の明度が低下するという問題が生じていた。
【０００６】
そこで、本発明は上記事情に鑑みて、各トナーの混色を防止しすることができ、特に色の明度の低下を抑制できる画像形成装置を提供することが目的である。
【課題を解決するための手段】
【０００７】
上記目的は、複数の現像装置毎に設けられ前記現像装置内の圧力を抜くための通気路を備えた画像形成装置において、所定の通気路を遮断することにより、他の通気路から前記所定の通気路への空気の流入を防止する通気路遮断手段を備えた画像形成装置によって達成できる。
【０００８】
この構成により、各通気路からの空気に含まれるトナーが、他の通気路への流入することを防止でき、各トナーの混色を防止できる。特に、黒の画像を形成する現像装置からの空気にはブラックトナーが含まれるため、他の色の現像装置に流入することに伴う、色の明度の低減を防止できる。
【０００９】
また、前記通気路遮断手段は、画像形成に使用されていない現像装置内の圧力を抜くための通気路を遮断する画像形成装置によっても達成できる。
【００１０】
この構成により、画像形成に使用されている現像装置に連結する通気路から、使用されていない現像装置に連結する通気路へ空気が流入することを防止できる。また、画像形成に使用されている現像装置に連結する通気路を遮断しないことにより、使用されている現像装置内の圧力の上昇を防止できる。
【００１１】
また、前記通気路遮断手段は、画像形成装置本体の作像動作に連動して、前記所定の通気路を開閉する画像形成装置によっても達成できる。
【００１２】
この構成により、通気路遮断手段を開閉するための駆動手段を個別に設けた場合と比較して、駆動手段の制御を容易にすることができる。
【００１３】
また、前記各通気路と連結され使用済み現像剤を蓄える廃棄現像剤容器
を備え、前記廃棄現像剤容器には、空気中のトナーを捕集するトナーフィルタが設けられている画像形成装置によっても達成できる。
【００１４】
この構成により、廃棄現像剤容器にトナーフィルタが設けられているため、廃棄現像剤容器とトナーフィルタとを個別に設ける場合と比較し、スペースを小さくすることができる。また、廃棄現像剤容器を交換・回収する際に、トナーフィルタも一括交換することができる。
【００１５】
また、空気中のトナーを捕集するトナーフィルタを備え、前記トナーフィルタは、交換可能に形成されている部材に設けられている画像形成装置によっても達成できる。
【００１６】
この構成により、トナーフィルタの交換を容易にすることができる。ここで、交換可能に形成されている部材とは、例えば感光体を含む現像装置などをいう。感光体の寿命などにより現像装置を交換することに伴って、トナーフィルタを容易に交換することができる。その他、現像装置にトナーを供給するトナーボトルにトナーフィルタが設けてもよい。
【発明の効果】
【００１７】
本発明によれば、各トナーの混色を防止しすることができ、特に色の明度の低下を抑制できる画像形成装置を提供できる。
【発明を実施するための最良の形態】
【００１８】
図１は、本発明に係る画像形成装置の概要を示す説明図である。図１に示すように、画像形成装置１００は、フルカラーの印刷が可能となっており、以下、構成要素の末尾に付された符号Ｙ、Ｍ、Ｃ、およびＫは、それぞれイエロー、マゼンタ、シアン、および黒の画像形成用の構成要素であることを示している。
【００１９】
図１には、右上からＹ（イエロー）、Ｍ（マゼンタ）、Ｃ（シアン）、Ｋ（黒）の画像形成を担当する画像形成部１００Ｙ、１００Ｍ、１００Ｃ、１００Ｋ、感光体ロールの表面に形成されたトナー像が一旦転写される中間転写ベルト３０、中間転写ベルト３０が予め決められたルートを循環するように設けられた張架ロール３１、中間転写ベルト３０に一旦転写したトナー像を用紙２００に二次転写する二次転写ロール３２、および、二次転写ロールに対向する対向ロール３３が示されている。
【００２０】
Ｙ、Ｍ、Ｃ、Ｋ各色の画像形成を担当する画像形成部１００Ｙ、１００Ｍ、１００Ｃ、１００Ｋには、それぞれ、感光体ロール１１Ｙ、１１Ｍ、１１Ｃ、１１Ｋ、帯電部１２Ｙ、１２Ｍ、１２Ｃ、１２Ｋ、露光部（不図示）、現像部１４Ｙ、１４Ｍ、１４Ｃ、１４Ｋ、一次転写ロール１５Ｙ、１５Ｍ、１５Ｃ、１５Ｋ、が備えられている。
【００２１】
次に、この画像形成装置１００における基本的な画像形成動作について説明する。
先ず、イエローの画像形成部１００Ｙによるトナー像形成が開始され、矢印Ａの向きに回転する感光体ロール１１Ｙの表面に、帯電部１２Ｙにより所定の電荷が付与される。次に、露光部により感光体ロール１１Ｙの表面にイエロー画像に相当する露光光が照射され潜像が形成される。その潜像は矢印Ｃの向きに回転する現像ロール１４Ｙによりイエローのトナーで現像されて感光体ロール上にイエローのトナー像が形成される。そのトナー像は一次転写ロール１５Ｙにより中間転写ベルト３０に転写される。
【００２２】
中間転写ベルト３０は矢印Ｂ方向に循環移動しており、中間転写ベルト３０上に転写されたイエローのトナー像が次の色の画像形成部１００Ｍの一次転写ロール１５Ｍに到達するタイミングに合わせて、次の色のマゼンタのトナー像が一次転写ロール１５Ｍに到達するように、マゼンタの画像形成部１００Ｍによるトナー像形成が行なわれる。こうして形成されたマゼンタのトナー像は、一次転写ロール１５Ｍにおいて中間転写ベルト３０上のイエローのトナー像の上に重ねて転写される。
【００２３】
続いて、シアンおよび黒の画像形成部１００Ｃ、１００Ｋによるトナー像形成が上記と同様のタイミングで行われ、一次転写ロール１５Ｃ、１５Ｋにおいて中間転写ベルト３０のイエローおよびマゼンタのトナー像の上に順次重ねて転写される。
【００２４】
こうして、中間転写ベルト３０上に転写された多色トナー像は、二次転写ロール３２により用紙上に二次転写され、多色トナー像は用紙２００とともに中間転写ベルト３０から剥離され図示しない定着ロールにより用紙上に定着されることでカラー画像が形成される。尚、図１には、用紙２００が矢印Ｄ方向に送紙されている様子が示されている。
【００２５】
また、図１に示す画像形成部１００Ｙの現像部１４Ｙは、現像ロール１４１Ｙ、ハウジング１４３Ｙ、ミキシングオーガ１４４Ｙ、１４５Ｙで構成されており、図１には、トナーと磁性キャリアとからなる現像剤が収容されるハウジング１４３Ｙの内部に２本のミキシングオーガ１４４Ｙ、１４５Ｙが配設されている様子が示されているほか、現像ロール１４１Ｙの半身がハウジング１４３Ｙの内部に入り込むように配設されている様子も示されている。
【００２６】
ミキシングオーガ１４４Ｙ、１４５Ｙは、互いに逆方向に現像剤を搬送するように回転方向が決定されており、このように、トナーと磁性キャリアとを均一に混合することで、現像剤のトナー濃度、すなわちトナーの帯電量が一定に保たれている。
【００２７】
ここで、現像ロール１４２Ｙは、上述したように、ハウジング内にその半身が入り込むように配設され、ハウジング内の現像剤を表面に担持しながら、現像が行われる現像領域２０において感光体ロール１１Ｙの回転方向Ａとは逆向きの矢印Ｃの向きに回転して、ハウジングの外部に現像剤を搬送することができるようになっている。
【００２８】
次に、本実施形態である画像形成装置１００に備えられている通気路２０Ｙ、２０Ｍ、２０Ｃ、２０Ｋ、廃棄現像剤容器４０について説明する。図１に示すように、現像部（現像装置）１４Ｙ、１４Ｍ、１４Ｃ、１４Ｋに各現像部内の圧力を抜くための通気路２０Ｙ、２０Ｍ、２０Ｃ、２０Ｋが設けられている。この通気路２０Ｙ、２０Ｍ、２０Ｃ、２０Ｋは、廃棄現像剤容器４０に連結されている。廃棄現像剤容器４０は、図１及び図２に示すように排気ダクト部４１と廃棄現像剤収容部４２から構成される。通気路２０Ｙ、２０Ｍ、２０Ｃ、２０Ｋは排気ダクト部４１と連結される。排気ダクト部４１の上面には、開口部を有し、その開口部を覆うようにトナーフィルタ４３が設けられている。これにより、各現像部から排気ダクト部４１に送られる空気中に含まれるトナーをトナーフィルタ４３により捕集するとともに、各現像部内の空気を画像形成装置１００の外部に排出することができる。
【００２９】
また、排気ダクト部４１の下に廃棄現像剤収容部４２が配置され、排気ダクト部４１と廃棄現像剤収容部４２には、開口部４４を有している。各通気路は、各現像部で使用済みとなった現像剤を廃棄現像剤容器４０まで搬送する。従って、各通気路により搬送された使用済み現像剤は、開口部４４を通過して廃棄現像剤収容部４２に蓄えられる。
【００３０】
次に、各現像部からの空気の流れについて説明する。ここでは、通気路２０Ｋから廃棄現像剤容器４０に流れ込む空気の流れについて説明する。図２は、通気路と廃棄現像剤容器との概要を示す説明図である。
【００３１】
図２に示すように、通気路２０Ｋから廃棄現像剤容器４０に流れ込む空気は、矢印Ｅに示すようにトナーフィルタ４３に向かって画像形成装置１００の外部に排出される。しかし、通気路２０Ｋから廃棄現像剤容器４０に流れ込む空気の一部は、矢印Ｆに示すように他の通気路２０Ｙなどに流れ込む場合がある。特に、画像形成装置１００が白黒モードの状態においては、リトラクト手段により黒以外の画像を形成する現像部及び感光体ロールは、中間転写ベルト３０から離間する。このため、黒以外の画像を形成する現像部は、その駆動が停止している状態にある。この状態において、通気路２０Ｙ、２０Ｍ、２０Ｃから廃棄現像剤容器４０に空気が流れ込むことは少ない。従って、現像部１４Ｋからの空気が、矢印Ｆに示すように他の通気路に流れ込みやすい状態になる。現像部１４Ｋからの空気にはブラックトナーが含まれる。このため、他の現像部にまで、現像部１４Ｋからの空気が流れ込み、他の色のトナーにブラックトナーが混入して明度が低減するという問題があった。
【００３２】
また、図２に示すように本実施形態に係る画像形成装置１００は、通気路遮断部６０、レバー６１、遮断部駆動手段６２を備える。通気路遮断部６０は、板状に形成されており、遮断部駆動手段６２とレバー６１を介して接続され、遮断部駆動手段６２が駆動することにより、所定の通気路を開閉するように移動することが可能に設けられている。
【００３３】
図３は、白黒モードにおける画像形成装置１００の状態について示した図である。前述したように、白黒モードの場合にはリトラクト手段（不図示）により、感光体ロール１１Ｙ、１１Ｍ、１１Ｃが中間転写ベルト３０から離間する。従って、白黒モードの場合には感光体ロール１１Ｋのみが中間転写ベルト３０に接着して、白黒の画像を形成して中間転写ベルト３０に転写する。
【００３４】
図４は、白黒モードにおける通気路遮断部６０の状態について示した図である。
白黒モードにおいて遮断部駆動手段６２は、通気路遮断部６０を移動させて通気路２０Ｙ、２０Ｍ、２０Ｃを遮断する。このように、通気路遮断部６０は、画像形成モードに応じて所定の通気路を開閉させることにより、他の通気路から所定の通気路への空気の流入を防止する。このように、各通気路からの空気に含まれるトナーが、他の通気路への流入することを防止でき、各トナーの混色を防止できる。特に、黒の画像を形成する現像部１４Ｋからの空気にはブラックトナーが含まれるため、他の色の現像部に流入することに伴う、色の明度の低減を防止できる。
【００３５】
また、通気路遮断手段６０は、画像形成に使用されていない現像部１４Ｙ、１４Ｍ、１４Ｃ内の圧力を抜くための通気路を遮断する。これにより、画像形成に使用されている現像部１４Ｋに連結する通気路２０Ｋから、使用されていない現像部１４Ｙ、１４Ｍ、１４Ｃに連結する通気路２０Ｙ、２０Ｍ、２０Ｃへ空気が流入することを防止できる。また、画像形成に使用されている現像部１４Ｋに連結する通気路２０Ｋを遮断しないことにより、使用されている現像部１４Ｋの圧力の上昇を防止できる。
【００３６】
図５は、本実施例に係る画像形成装置１００と従来の画像形成装置とのイエローの明度（Ｃhroma）について比較したグラフである。このグラフは縦軸に明度を示しおり、横軸は走行枚数を示している。走行枚数が２万枚を越えた辺りから、通気路を遮断する機構を持たない従来の画像形成装置の明度が低下していることを示している。一方、本実施例に係る画像形成装置１００では、１０万枚まで、ほぼ一定の明度を確保できることが示されている。従って、本実施形態に係る画像形成装置１００は、鮮明な画像の形成を長期的に維持することができる。
【００３７】
また、通気路遮断部６０は、画像形成装置本体の作像動作に連動して、各通気路を開閉する。これにより、通気路遮断部６０を開閉するための駆動手段を個別に設けた場合と比較して、駆動手段の制御を容易にすることができる。例えば、画像形成部１００Ｙ、１００Ｍ、１００Ｃをカム部材などにより移動させて、感光体ロール１１Ｙ、１１Ｍ、１１Ｃを中間転写ベルト３０から離間させる場合、このカム部材に連動して、遮断部駆動手段６２又はレバー６１が駆動する。
【００３８】
尚、本実施形態に係る通気路遮断部６０は、板状に形成されているがこの形態に限定されず、例えばシャッタや弁であってもよい。また、ＣＰＵ（Central  Processing  Unit）やＲＯＭ（Read  Only  Memory）、ＲＡＭ（Random  Access  Memory）などのハードウェア、所要のソフトウェアにより実現され、画像形成装置１００全体の制御を行う制御部（不図示）が、白黒モードに設定されたかどうかを判定し、白黒モードである場合には、通気路遮断部６０を駆動させて所定の通気路を遮断するようにしてもよい。
【００３９】
また、前述したように、本実施形態に係る画像形成装置１００は、各通気路と連結され使用済み現像剤を蓄える廃棄現像剤容器４０を有し、トナーフィルタ４３は廃棄現像剤容器４０に設けられている。これにより、廃棄現像剤容器４０にトナーフィルタ４３が設けられているため、廃棄現像剤容器４０とトナーフィルタ４３とを個別に設ける場合と比較し、スペースを小さくすることができる。また、廃棄現像剤容器４０を交換・回収する際に、トナーフィルタ４３も一括交換することができる。
【００４０】
次に、上述した画像形成装置１００の変形例１について以下に説明する。尚、この画像形成装置の基本構成は、上述した画像形成装置１００と同様の構成である。よって、画像形成装置１００と同一の部分には同じ符号を付することで重複する説明を省略する。図６は、画像形成装置１００の変形例１に係る現像部１４Ｙの拡大図である。
【００４１】
図６に示すように、ハウジング１４３Ｙには、通気路２０Ｙとに連結される開口部Ｇ付近に、通気路遮断部７０Ｙが設けられている。この通気路遮断部７０Ｙは上述した画像形成装置１００と同様に、カラー画像を形成するカラーモードの場合には、通気路２０Ｙを開放することにより現像部１４Ｙ内の圧力を抜くことができる。一方、白黒モードの場合には、通気路２０Ｙを閉じることにより、黒の画像を形成する現像部１４Ｋからの空気の流入を防止することができる。従って、このような構成であっても色の明度の低減を防止できる。尚、他の現像部のハウジング１４３Ｍ、１４３Ｃにも同様の通気路遮断部が設けられている。
【００４２】
次に、上述した画像形成装置１００の変形例２について以下に説明する。尚、この画像形成装置の基本構成は、上述した画像形成装置１００と同様の構成である。よって、画像形成装置１００と同一の部分には同じ符号を付することで重複する説明を省略する。図７は、画像形成装置１００の変形例２に係る各現像部と通気路の構成を示した図である。図７に示す画像形成装置は、中間転写体が縦に設置されているものであり、現像部も縦に順に設置されている。尚、中間転写体や感光体ロールについては省略してある。
【００４３】
図７に示すように、通気路２０Ｙ、２０Ｍ、２０Ｃは、廃棄現像剤容器４０に連結される前に合流し、通気路２０Ｙ、２０Ｍ、２０Ｃが合流した通気路２０Ｘは、通気路２０Ｋと連結される。ここで、通気路２０Ｙ、２０Ｍ、２０Ｃが合流した通気路２０Ｘには、通気路２０Ｋと連結される手前の位置に、通気路遮断部８０が設けられている。通気路遮断部８０は上述した画像形成装置１００と同様に、カラーモードの場合には、通気路遮断部８０を開側に駆動させて通気路２０Ｘを開放することにより、各現像部内の圧力を抜くことができる。一方、白黒モードの場合には、通気路遮断部８０を閉側に駆動させて通気路２０Ｘを閉じることにより、黒の画像を形成する現像部１４Ｋからの空気が、他の現像部に流入することを防止することができる。従って、このような構成であっても色の明度の低減を防止できる。
【００４４】
次に、上述した画像形成装置１００の変形例３について以下に説明する。尚、この画像形成装置の基本構成は、上述した画像形成装置１００の変形例２と同様の構成である。よって、画像形成装置１００の変形例２と同一の部分には同じ符号を付することで重複する説明を省略する。図８は、画像形成装置の変形例３に係る各現像部と通気路の構成を示した図である。
【００４５】
図８に示すように、通気路２０Ｙ、２０Ｍ、２０Ｃの夫々には、通気路２０Ｘに連結される手前の位置で通気路遮断部９０Ｙ、９０Ｍ、９０Ｃが設けられている。上述の場合と同様に、カラーモードの場合には、通気路遮断部９０Ｙ、９０Ｍ、９０Ｃを開側に駆動させることにより各現像部内の圧力を抜くことができる。一方、白黒モードの場合には、通気路遮断部９０Ｙ、９０Ｍ、９０Ｃを閉側に駆動させることにより、黒の画像を形成する現像部１４Ｋからの空気が、他の現像部に流入することを防止することができる。従って、このような構成であっても色の明度の低減を防止できる。
【００４６】
以上本発明の好ましい実施例について詳述したが、本発明は係る特定の実施例に限定されるものではなく、特許請求の範囲に記載された本発明の要旨の範囲内において、種々の変形、変更が可能である。
例えば、本実施例においては、白黒モードの場合において、白黒以外の、所定の通気路２０Ｙ、２０Ｍ、２０Ｃを遮断するが、例えば、黒の画像を形成する現像部内の圧を抜く通気路２０Ｋにも通気路遮断部を設けて、イエローのみを用いて画像を形成するモードにおいては、イエロー以外の、所定の通気路２０Ｍ、２０Ｃ、２０Ｋを遮断するようにしてもよいし、イエローと黒とを用いて画像を形成するモードにおいては、イエローと黒以外の、所定の通気路２０Ｍ、２０Ｃを遮断するようにしてもよい。即ち、画像形成に使用されていない現像装置内の圧力を抜くための通気路を遮断するようにしてもよい。
この構成により、画像形成に使用されている現像装置に連結する通気路から、使用されていない現像装置に連結する通気路へ空気が流入することを防止できる。また、画像形成に使用されている現像装置に連結する通気路を遮断しないことにより、使用されている現像装置内の圧力の上昇を防止できる。
また、上記実施例においては、廃棄用現像剤容器にトナーフィルタを設けているがこのような構成に限定されず、トナーフィルタは、交換可能に形成されている部材に設けられているように構成してもよい。これにより、トナーフィルタの交換を容易にすることができる。ここで、交換可能に形成されている部材とは、例えば感光体を含む現像部などをいう。感光体の寿命などにより現像部を交換することに伴って、トナーフィルタを容易に交換することができる。その他、現像部にトナーを供給するトナーボトルにトナーフィルタを設けてもよい。
【図面の簡単な説明】
【００４７】
【図１】本発明に係る画像形成装置の概要を示す説明図である。
【図２】通気路と廃棄現像剤容器との概要を示す説明図である。
【図３】白黒モードにおける画像形成装置の状態について示した図である。
【図４】白黒モードにおける通気路遮断部の状態について示した図である。
【図５】本実施例に係る画像形成装置と従来の画像形成装置とのイエローの明度について比較したグラフである。
【図６】画像形成装置の変形例１に係る現像部１４Ｙの拡大図である。
【図７】画像形成装置の変形例２に係る各現像部と通気路の構成を示した図である。
【図８】画像形成装置の変形例３に係る各現像部と通気路の構成を示した図である。
【符号の説明】
【００４８】
１００Ｙ、１００Ｍ、１００Ｃ、１００Ｋ      画像形成部
１１Ｙ、１１Ｍ、１１Ｃ、１１Ｋ              感光体ロール
１２Ｙ、１２Ｍ、１２Ｃ、１２Ｋ              帯電部
１４Ｙ、１４Ｍ、１４Ｃ、１４Ｋ              現像部
１４１Ｙ、１４１Ｍ、１４１Ｃ、１４１Ｋ      現像ロール
１４３Ｙ、１４３Ｍ、１４３Ｃ、１４３Ｋ      ハウジング
１４４Ｙ、１４５Ｙ、                        ミキシングオーガ
１５Ｙ、１５Ｍ、１５Ｃ、１５Ｋ              一次転写ロール
２０Ｙ、２０Ｍ、２０Ｃ、２０Ｋ、２０Ｘ      通気路
３０                                        中間転写ベルト
３１                                        張架ロール
３２                                        二次転写ロール
３３                                        対向ロール
４０                                        廃棄現像剤容器
４１                                        排気ダクト部
４２                                        廃棄現像剤収容部
４３                                        トナーフィルタ
４４                                        開口部
６０、８０、９０Ｙ、９０Ｍ、９０Ｃ          通気路遮断部
６１                                        レバー
６２                                        遮断部駆動手段
１００                                      画像形成装置
【図１】
2007121472.tif 000003
【図２】
2007121472.tif 000004
【図３】
2007121472.tif 000005
【図４】
2007121472.tif 000006
【図５】
2007121472.tif 000007
【図６】
2007121472.tif 000008
【図７】
2007121472.tif 000009
【図８】
2007121472.tif 000010